(57)【要約】      （修正有）【課題】作業者を切創事故から確実に護ることができるとともに作業性にも優れる切創防止プロテクタを提供する。【解決手段】親指から手首までの部分を被覆するとともに、人差指から小指までの部分を露出させる形状からなる切創防止プロテクタを提供する。【選択図】図１Ａ
2005344226.tif 000002
【特許請求の範囲】
【請求項１】
親指から手首までの部分を被覆するとともに、人差指から小指までの部分を露出させる形状からなることを特徴とする切創防止プロテクタ。
【請求項２】
請求項１に記載の切創防止プロテクタであって、シート状の素材により袋状に一体的に形成されてなることを特徴とする切創防止プロテクタ。
【請求項３】
請求項１または２に記載の切創防止プロテクタであって、前記素材はステンレスなどの金属繊維、アラミド繊維、ガラス繊維、ポリアリレート繊維、ポリビニルアルコール繊維、ポリエチレン繊維、炭素繊維、及びセラミック繊維のうちの少なくともいずれかであることを特徴とする切創防止プロテクタ。
【請求項４】
請求項１〜３のいずれかに記載の切創防止プロテクタであって、前記素材は編目状であることを特徴とする切創防止プロテクタ。
【請求項５】
請求項２に記載の切創防止プロテクタであって、前記素材は当該切創防止プロテクタが装着される手の方向に分断され、分断された部分の夫々の端部にこれら端部同士を連結するための連結部材が設けられてなることを特徴とする切創防止プロテクタ。
【請求項６】
請求項５に記載の切創防止プロテクタであって、前記連結部材はファスナ、面ファスナ、及びフォックのうち少なくともいずれかであることを特徴とする切創防止プロテクタ。
【請求項７】
請求項１に記載の切創防止プロテクタであって、既に手に装着されている手袋に貼り付けるための面ファスナなどの取付部材が設けられてなることを特徴とする切創防止プロテクタ。
【発明の詳細な説明】
【技術分野】
【０００１】
本発明は、樹木の枝打ち作業などの作業において作業者が装着して用いる切創防止プロテクタに関する。
【背景技術】
【０００２】
従来から、樹木の伐採や枝打ち作業など、鉈やカッターなどの工具を使った作業に際しては、作業中に切創を負うことのないように、作業者は工具に対する耐性を有するステンレスなどの素材が施された作業用手袋（例えば、特許文献１を参照）を装着して作業を行っている。
【特許文献１】特開２００１−２７９５０３号公報
【発明の開示】
【発明が解決しようとする課題】
【０００３】
作業者がそのような作業によって切創を負う部分は、作業の種類によって様々である。例えば、樹木の枝打ち作業の場合、図３に示すごとく、片方の手６１で鉈６２を握り、もう片方の手６３で枝打ちしようとする樹木を支えるといった姿勢で行われるのであるが、この作業において切創を負う可能性が高いのは、樹木を支えている側の手６３の親指６５やその周辺の部分であり、作業中に樹木の裏側に位置する人差指６６から小指６９にかけての部分に切創を負うことは殆ど無い。それにも拘わらず、市販されている切創防止プロテクタの多くは作業者の手の全体を覆う構造になっていて、切創を負う可能性が少ない部分までが重量物である固い素材によって被覆されてしまっていた。このため、作業性が著しく損なわれていた。
【０００４】
この発明は、このような事情に鑑みてなされたものであり、作業者を切創事故から確実に護ることができるとともに作業性にも優れた切創防止プロテクタを提供することを目的とする。
【課題を解決するための手段】
【０００５】
上記目的を達成するための、本発明のうち請求項１に記載の発明は、切創防止プロテクタであって、親指から手首までの部分を被覆するとともに、人差指から小指までの部分を露出させる形状からなることとする。  
本発明の切創防止プロテクタによれば、例えば、樹木の枝落とし作業などにおいて切創を負いやすい部分である親指を、切創事故から確実に護ることができる。また、人差指から小指までの部分については自由が効くため、作業性に優れる。また、被覆部分が少ないことから軽量化が図られ、作業者に与える負担が少ない。
【０００６】
本発明のうち請求項２に記載の発明は、請求項１に記載の切創防止プロテクタであって、シート状の素材により袋状に一体的に形成されてなることとする。  
このような形状とすれば、作業者は手を挿入するだけで簡単に切創防止プロテクタを装着することができる。
【０００７】
本発明のうち請求項３に記載の発明は、請求項１または２に記載の切創防止プロテクタであって、前記素材はステンレスなどの金属繊維、アラミド繊維、ガラス繊維、ポリアリレート繊維、ポリビニルアルコール繊維、ポリエチレン繊維、炭素繊維、及びセラミック繊維のうちの少なくともいずれかであることとする。  
切創防止プロテクタの素材としては、例えば、これらのものを用いることができる。
【０００８】
本発明のうち請求項４に記載の発明は、請求項１〜３のいずれかに記載の切創防止プロテクタであって、前記素材は編目状であることとする。  
網目状とすることで、軽量化が図られ、通気性も向上する。
【０００９】
本発明のうち請求項５に記載の発明は、請求項２に記載の切創防止プロテクタであって、前記素材は当該切創防止プロテクタが装着される手の方向に分断され、分断された部分の夫々の端部にこれら端部同士を連結するための連結部材が設けられてなることとする。  
このようにすることで、作業者は切創防止プロテクタを簡単に脱着することができる。
【００１０】
本発明のうち請求項６に記載の発明は、請求項５に記載の切創防止プロテクタであって、前記連結部材はファスナ、面ファスナ、及びフォックのうち少なくともいずれかであることとする。
【００１１】
本発明のうち請求項７に記載の発明は、請求項１に記載の切創防止プロテクタであって、既に手に装着されている手袋に貼り付けるための面ファスナなどの取付部材が設けられてなることとする。  
このようにすることで、切創防止プロテクタを既に手に装着している手袋の上に簡単に装着することができる。
【発明の効果】
【００１２】
本発明の切創防止プロテクタは、切創事故から確実に作業者を護ることができるとともに作業性にも優れる。
【発明を実施するための最良の形態】
【００１３】
以下、本発明の一実施形態について説明する。図１Ａは、本発明の一実施形態として説明する切創防止プロテクタ１を作業者の左手２０の手の甲の方から眺めた図である。図１Ｂは、切創防止プロテクタ１を手の平の方から眺めた図である。
【００１４】
切創防止プロテクタ１は、刃物に対する耐性を有する素材により、親指２１から手首２２までの部分について被覆するとともに、人差指２３から小指２６までの部分については露出させる形状である。このため、例えば、樹木の枝落とし作業などで切創を負いやすい部分である親指２１の部分を、切創事故から確実に護ることができる。また、人差指２３から小指２６までの部分については、被覆が施されていない分、自由が効くため、作業性に優れる。また、軽量化が図られ、このことによっても作業性が向上する。
【００１５】
切創防止プロテクタ１は、シート状の素材により袋状に一体的に形成されている。このため、作業者は、上記袋状の部分に手を入れて親指２１の部分に親指を差し込むことにより、切創防止プロテクタ１を手に簡単に装着することができる。
【００１６】
なお、上記素材は、例えば、網目状とする。網目状とすることで、切創防止プロテクタ１に伸縮性や通気性を持たせることができ、軽量化も図られる。上記素材の種類としては、ステンレスなどの金属繊維、アラミド繊維、ガラス繊維、ポリアリレート繊維、ポリビニルアルコール繊維、ポリエチレン繊維、炭素繊維、セラミック繊維などがある。また、これらのうち少なくともいずれかの混紡物、合糸物、合撚物、混織物を素材としてもよい。この場合には切創防止プロテクタ１に耐切創性、耐摩耗性を持たせることができる。
【００１７】
図２Ａはファスナを設けて脱着性を向上させるようにした切創防止プロテクタ１であり、作業者の手の甲の方から眺めた図である。図２Ｂは手の平の方から眺めた図である。図２Ｂに示すように、素材は切創防止プロテクタ１が装着されている手の方向に分断されている。ファスナ３１，３２は、その分断部分の夫々の端部に夫々設けられている。
【００１８】
この切創防止プロテクタ１を装着する場合には、まずファスナ３１，３２を開いて切創防止プロテクタ１を手に巻き付けた後、ファスナ３１，３２を閉じるようにする。切創防止プロテクタ１を取り外す場合には、上記と逆の手順を辿る。このように、ファスナなどの連結部材を設けることで、切創防止プロテクタ１の脱着性を向上させることができる。なお、連結部材としては、ファスナ以外にも、例えば、面ファスナやフォックなどを上記連結部材として採用することができる。
【００１９】
切創防止プロテクタ１は、軍手などの作業用手袋とともに装着することもできる。なお、この場合には、手袋を先に装着してから切創防止プロテクタ１を装着するようにしてもよいし、切創防止プロテクタ１を先に装着してから手袋を装着するようにしてもよい。また、前者の場合には、手袋の切創防止プロテクタ１が当たる部分や、切創防止プロテクタ１の内側面に、面ファスナなどの取付部材を設けておくようにしてもよい。このようにすることで、既に手に装着している手袋の上から切創防止プロテクタ１を簡単に装着することができる。
【００２０】
以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００２１】
【図１Ａ】本発明の一実施形態として説明する切創防止プロテクタ１を、これが装着される作業者の左手２０の手の甲の方から眺めた図である。
【図１Ｂ】本発明の一実施形態として説明する切創防止プロテクタ１を手の平の方から眺めた図である。
【図２Ａ】本発明の一実施形態として説明する脱着性を向上させた切創防止プロテクタ１を手の甲の方から眺めた図である。
【図２Ｂ】本発明の一実施形態として説明する脱着性を向上させた切創防止プロテクタ１を手の平の方から眺めた図である。
【図３】樹木の枝打ち作業の一例を示す図である。
【符号の説明】
【００２２】
１  切創防止プロテクタ
２０  作業者の左手
２１  親指
２２  手の甲から手首にかけての部分
２３  人差指
２４  中指
２５  薬指
２６  小指
３１，３２  ファスナ
【図１Ａ】
2005344226.tif 000003
【図１Ｂ】
2005344226.tif 000004
【図２Ａ】
2005344226.tif 000005
【図２Ｂ】
2005344226.tif 000006
【図３】
2005344226.tif 000007